(57)【要約】      （修正有）【課題】遠用アイポイントと近用アイポイントの位置を簡単、安価、かつ、高精度に測定できる累進眼鏡設計用シートマスク測定治具を提供する。【解決手段】ダミーレンズが入った眼鏡フレームの両眼それぞれのダミーレンズの前面に、両眼一対のシートマスク３３０を貼り付けて遠用アイポイントと近用アイポイントの位置を測定するために用いる累進眼鏡設計用シートマスク測定治具３００である。シートマスクの上側に位置し、遠用アイポイントの高さと一致させる両眼一対の単一の水平基準線３０と、シートマスクの中間に位置し、両眼それぞれの片眼瞳孔距離を測定するための異なった色で構成された両眼一対の複数の垂直基準線３１〜３４と、シートマスクの下側に位置し、遠用アイポイントから近用アイポイントまでの垂直方向の距離を測定するための異なった色で構成された両眼一対の複数の水平基準線３５〜３８とを備える。【選択図】図５
0003201342.tif 000002
【実用新案登録請求の範囲】
【請求項１】
ダミーレンズが入った眼鏡フレームの両眼それぞれのダミーレンズの前面に両眼一対のシートマスクを貼り付けて遠用アイポイントと近用アイポイントの位置を測定するために用いる累進眼鏡設計用シートマスク測定治具であって、
前記シートマスクの上側に位置し、両眼それぞれの遠用アイポイントの高さと一致させる両眼一対の単一の水平基準線と、
前記シートマスクの中間に位置し、両眼それぞれの片眼瞳孔距離を測定するための異なった色で構成された両眼一対の複数の垂直基準線と、
前記シートマスクの下側に位置し、両眼の前記遠用アイポイントから前記近用アイポイントまでの垂直方向の距離を測定するための異なった色で構成された両眼一対の複数の水平基準線と、を備えることを特徴とする累進眼鏡設計用シートマスク測定治具。
【請求項２】
請求項１に記載の累進眼鏡設計用シートマスク測定治具において、
前記シートマスクは、
前記眼鏡フレームの前記両眼それぞれの前記ダミーレンズの前面に貼り付けることが可能であって、前記眼鏡フレームの前記ダミーレンズに貼り付けたときに、透明性を維持できる測定部と、
前記遠用アイポイントと前記近用アイポイントに関する測定値の取得後に前記眼鏡フレームの前記ダミーレンズの前面から容易に前記シートマスクを剥がすことができる把持部と、を有することを特徴とする累進眼鏡設計用シートマスク測定治具。
【請求項３】
請求項１又は２に記載の累進眼鏡設計用シートマスク測定治具において、
前記シートマスクの前記測定部は、前記両眼一対の単一水平基準線と、前記両眼一対の複数の垂直基準線及び前記両眼一対の複数の水平基準線基準線とが、瞳孔直径の幅より狭く、かつ、不透明な線で構成されていることを特徴とする累進眼鏡設計用シートマスク測定治具。
【請求項４】
請求項1〜３のいずれかに記載の累進眼鏡設計用シートマスク測定治具において、
前記シートマスクは、前記眼鏡フレームの前記両眼それぞれの前記ダミーレンズの前面に貼り付けるときに、正しい姿勢で貼り付けるためのマークを有することを特徴とする累進眼鏡設計用シートマスク測定治具。
【請求項５】
請求項１〜４のいずれかに記載の累進眼鏡設計用シートマスク測定治具において、
基盤シートの左右方向中心線に線対称の前記両眼一対のシートマスクは、前記眼鏡フレームの前記両眼それぞれの前記ダミーレンズの前面に貼り付け可能な間隔で、前記基盤シートに貼り付けられていることを特徴とする累進眼鏡設計用シートマスク測定治具。
【請求項６】
請求項５に記載の累進眼鏡設計用シートマスク測定治具において、
前記基盤シートは、前記眼鏡フレームの前記両眼それぞれの前記ダミーレンズの前面に前記両眼一対のシートマスクを貼り付けるための一対の位置決め貫通孔を備えていること特徴とする累進眼鏡設計用シートマスク測定治具。
【請求項７】
請求項５又は６に記載の累進眼鏡設計用シートマスク測定治具において、
前記基盤シートは、前記基盤シートの左右方向中心線で左右二つに分離するためのミシン目を有することを特徴とする累進眼鏡設計用シートマスク測定治具。
【請求項８】
請求項１〜７のいずれかに記載の累進眼鏡設計用シートマスク測定治具を前記眼鏡フレームの前記両眼それぞれの前記ダミーレンズの前面に貼り付ける際に用いる累進眼鏡設計用シートマスク貼り付け装置であって、
前記基盤シートを前記シートマスク貼り付け装置に係合するための基盤シート固定ピンと、
前記眼鏡フレームの前記ダミーレンズの前面の曲面形状に沿って前記シートマスクを貼り付けるためのシートマスク貼り付け部と、
前記眼鏡フレームの前記両眼それぞれの前記ダミーレンズの前面を前記シートマスク貼り付け装置の前記シートマスク貼り付け部に水平に載置するときに、前記眼鏡フレームのブリッジと、前記シートマスク貼り付け装置との接触を回避するためのブリッジ回避部とを備えることを特徴とする累進眼鏡設計用シートマスク貼り付け装置。
【考案の詳細な説明】
【技術分野】
【０００１】
本考案は、累進眼鏡設計用シートマスク測定治具及び累進眼鏡設計用シートマスク貼り付け装置に関する。
【背景技術】
【０００２】
ヒトは外界にある対象物体を見るときに、身体、顔（頭）及び眼球を動かす（視覚動作という）。このとき、対象物体の位置は同じであっても、身体、顔（頭）及び眼球の動きはヒトによって様々であり個人差がある。例えば、ある人は正面から右４５度の方向にある対象物体を見るときに、身体を１５度回転し、顔（頭）を１５度回転し、眼球を１５度回転して対象物体を捕捉するが、別の人は、身体を５度回転し、顔（頭）を３０度回転し、眼球を１０度回転して対象物体を捕捉すると言ったように対象物を見るときの視覚動作が異なる。このような個々の視覚動作に対応した累進眼鏡の設計方法や調整方法が種々提案されている（例えば、特許文献１、２及び３参照）。
【０００３】
累進屈折力レンズ２００は、遠方視に対応する屈折力（度数）を持つ遠用部領域２１と、近方視に対応する屈折力を持つ近用部領域２２と、遠用部領域２１と近用部領域２２の間で屈折力が累進的に変化する累進帯領域２３と、を備えた非球面レンズである（図２参照）。これらの領域には境目がなくシームレスな１枚のレンズの中で視線を正面から下方へ移動することによって遠方から近方まで連続的に明視することができる。
【０００４】
しかしながら、累進屈折力レンズの遠用部領域、近用部領域及び累進帯領域は単焦点レンズと異なり、両眼視線の通過する明視領域（物がハッキリと見える領域）が決められていて、その領域以外は非明視領域（物がぼやけたり、ダブったりして見える領域）となっている。そのために、両眼視したときに両眼で同時に見える明視領域（両眼共通の明視領域）が最大にならないと両眼でクリアに見える領域が狭くなる。従って、遠用部領域、近用部領域及び累進帯領域は、個々の使用目的（遠近重視、中近重視、近々重視、フルタイム使用、パートタイム使用、読書などの近業での使用、買い物などの外出での使用など）に合わせて、両眼共通の明視領域が最大になるように眼鏡調整を行う必要がある（前記眼鏡設計）。そのために、累進眼鏡の設計においては、遠方視では眼鏡レンズ面の遠用部領域を通過する両眼の視線位置（遠用アイポイント）、近方視では眼鏡レンズ面の前記近用部領域を通過する両眼の視線位置（近用アイポイント）を決定することが重要となる。
【０００５】
以上のことから、新しい眼鏡を購入する眼鏡フレーム装着者に対して前記眼鏡設計を行うとき、前記単焦点レンズによる眼鏡（単焦点眼鏡）の場合は、眼鏡情報（検眼情報、眼鏡フレーム情報、眼鏡レンズ情報）を顔（頭）の構造（顔に対する眼、鼻及び耳の形状や相対位置等）に適合させる工学的フィッティングを実施する。これに対して、前記累進屈折力レンズによる眼鏡（前記累進眼鏡）の場合は、工学的フィッティングのほかにも、上述の前記二つのアイポイントや眼球運動などの測定を実施する必要がある。
【先行技術文献】
【特許文献】
【０００６】
【特許文献１】特表２００３−５２３２４４号公報
【特許文献２】特表２００８−５２１０２７号公報
【特許文献３】特開２０１１−４８３２１号公報
【考案の概要】
【考案が解決しようとする課題】
【０００７】
累進眼鏡の眼鏡設計で最も重要なことは遠用アイポイントと近用アイポイントの位置を決定することである。
特許文献１及び特許文献２では、頭部及び眼球運動測定装置を用いて累進眼鏡の設計に必要な眼鏡パラメータ（例えば、天地幅、玉型サイズ、鼻幅、右眼の高さ（右眼の遠用アイポイントの高さ）、左眼の高さ（左眼の遠用アイポイントの高さ）、右眼ＰＤ（鼻根中心から右眼瞳孔中心までの距離）、左眼ＰＤ（鼻根中心から左眼瞳孔中心までの距離）、頂点間距離（眼鏡装用距離）、前傾角（眼鏡フレームの垂直方向の傾き）、そり角（眼鏡フレームの水平方向の傾き）など）を取得するために、眼鏡フレーム装着者に眼鏡フレームを装着させてカメラで撮影し、取得した撮影画像から眼鏡パラメータを解析し、遠用アイポイントと近用アイポイントの位置を決定すると言う。
【０００８】
しかしながら、累進屈折力レンズにおける近用アイポイントの決定には、顔（頭）の動き及び眼球運動だけでなく姿勢も大きく関与するため、精度の高い近用アイポイントを決定することが困難な場合が多い。また、ビデオ型測定装置の再現性を研究した発表では、累進眼鏡の眼鏡パラメータの中で、鼻幅、両眼それぞれの片眼瞳孔距離（右眼ＰＤ及び左眼ＰＤ）、両眼それぞれの高さ等の測定に対する再現性は比較的に良い結果が示されているが、頂点間距離や前傾角等の再現性が悪かったと報告されている（ビデオ型各種パラメータ測定器の考察、西川由加理、キクチ眼鏡専門学校、第１９回日本眼鏡学会年次セミナー、２０１５）。累進眼鏡の眼鏡設計では、眼鏡装用距離や前傾角は遠方視への影響が少ないが、近方視や中間視に対しては大きな影響を与えることから大きな問題である。また、特許文献１及び特許文献２のような眼球運動の測定は、お客様が購入する眼鏡フレームに対する制約条件が多く、すべての眼鏡フレームに対応できないと言った問題がある。また、検査機器が高価すぎるという問題もある。
【０００９】
特許文献３は、実際に装着する眼鏡フレームを予めフィッティングした状態で眼球の下方回旋量を測定する治具、装置及び測定方法に関するものである。これによれば、実際に眼鏡フレームの眼鏡装用距離や前傾角の眼鏡パラメータを取得することなく遠用アイポイントと近用アイポイントの高さを決定することができる。
【００１０】
しかしながら、累進屈折力レンズの構造は前述したように、両眼それぞれの視線が遠用アイポイントから累進帯及び近用アイポイントに至るまで正確に通過するように眼鏡設計しないと、それぞれの領域で両眼共通明視域（又は両眼共通明視幅）が狭くなりボヤケを訴えるようになる。従って、遠用アイポイントの高さと近用アイポイントの高さのみの決定では十分とは言えない。特に、両眼共通明視域（又は両眼共通明視幅）が狭い累進部領域や近用部領域に対しては大きな問題が残る。また、遠用アイポイントの高さと近用アイポイントの高さの測定に際して、度付きの眼鏡レンズを使用すると、眼鏡レンズのプリズム作用により、眼球の下方回旋量に影響を与える。具体的には、眼球の下方回旋量への影響は、凸レンズでは大きくなり凹レンズでは小さくなるために、明らかに測定精度が低下する。
【００１１】
本考案の目的は、累進眼鏡の眼鏡設計における遠用アイポイントと近用アイポイントの位置を簡単、安価、かつ、高精度に測定できる累進眼鏡設計用シートマスク測定治具及び累進眼鏡設計用シートマスク貼り付け装置を提供することである。
【課題を解決するための手段】
【００１２】
［１］本考案［１］の累進眼鏡設計用シートマスク測定治具は、ダミーレンズが入った眼鏡フレームの両眼それぞれのダミーレンズの前面に両眼一対のシートマスクを貼り付けて遠用アイポイントと近用アイポイントの位置を測定するために用いる累進眼鏡設計用シートマスク測定治具であって、前記シートマスクの上側に位置し、両眼それぞれの遠用アイポイントの高さと一致させる両眼一対の単一の水平基準線と、前記シートマスクの中間に位置し、両眼それぞれの片眼瞳孔距離（右眼ＰＤ及び左眼ＰＤ）を測定するための異なった色で構成された両眼一対の複数の垂直基準線と、
前記シートマスクの下側に位置し、両眼の前記遠用アイポイントから前記近用アイポイントまでの垂直方向の距離を測定するための異なった色で構成された両眼一対の複数の水平基準線と、を備えた累進眼鏡設計用シートマスクであることを特徴とする。
【００１３】
ここで、一般的な前記遠用アイポイントと前記近用アイポイントの測定方法について説明する。先ず、前記遠用アイポイントの測定は、予め別の測定手段、例えば、前記眼鏡フレーム装着者に実際に装着する前記ダミーレンズの入った前記眼鏡フレームを掛けさせて、検査者が前記眼鏡フレーム装着者と正対した状態で、前記眼鏡フレーム装着者の両眼それぞれの遠方視での瞳孔中心位置を前記ダミーレンズの前面にペン等で印点し決定する他覚的方法で測定する（従来法による前記遠用アイポイントの決定法）。ここで、他覚的とは、前記検査者が独自に判断して決定することをいう。前記近用アイポイントの測定は、初めに、前記累進屈折力レンズに添付されている右眼用と左眼用別々の半透明な加工用シールに備えてある前記遠用アイポイントを示す孔を、前記検査者が予め前記他覚的測定手段で印点した両眼それぞれの前記遠用アイポイントに一致するように貼り付ける。
【００１４】
次に、図２２に示すように他覚的測定法であるミラー法（前記検査者と前記眼鏡フレーム装着者がミラーを挟んで正対する。この状態において、前記眼鏡フレーム装着者に下方にある前記ミラーの中心をターゲット（ミラーターゲット）として覗いてもらう。同様に前記検査者は、前記ミラーを通して前記眼鏡フレーム装着者が装着している前記眼鏡フレームの前記ダミーレンズの前面を通過する前記瞳孔中心の位置を確認しながら、最適な前記近用アイポイントを決定する方法）により、前記眼鏡フレーム装着者の両眼それぞれの前記瞳孔中心の位置が前記加工用シールに備えてある前記近用アイポイントを示す孔から確認できるかを判定する。このときに、両眼それぞれの前記瞳孔中心の位置が前記加工シールの孔（正しい位置）を通過していなければ、別の前記加工シールを前記眼鏡フレームの前記両眼それぞれのダミーレンズの前面に貼り換えて、同様に前記眼鏡フレーム装着者の両眼それぞれの近方視における前記瞳孔中心の位置が確認できるかを判定する（従来法による前記近用アイポイントの決定法）。なお、この操作は、近方視での前記瞳孔中心が前記加工シールの前記近用アイポイントの位置を示す孔から確認できるまで繰り返し行われる。
【００１５】
この考案では、累進眼鏡設計用シートマスク測定治具は、両眼それぞれの前記遠用アイポイントと前記近用アイポイントを測定するために、前記眼鏡フレームの前記ダミーレンズの前面に貼り付けるシートマスクである。このシートマスクの上側の位置には前記両眼一対の単一の水平基準線が設けられている。前記遠用アイポイントと前記近用アイポイントの決定は、初めに、仮の前記遠用アイポイントの高さを決定する。前記遠用アイポイントの決定は、これまでと同様に、前記他覚的測定法により遠方視での前記瞳孔中心の位置を目測で前記眼鏡フレームの前記両眼それぞれのダミーレンズの前面にペン等で仮印点して前記遠用アイポイントを決定する。
【００１６】
次に、実際の前記眼鏡設計に用いる前記遠用アイポイントの高さを決定する。前記他覚的測定法により前記両眼それぞれのダミーレンズの前面に仮印点された前記遠用アイポイントが、前記眼鏡フレーム装着者の日常的な前記遠用アイポイントであるかを確認する。具体的には、前記眼鏡フレームの前記両眼それぞれのダミーレンズの前面に仮印点された前記遠用アイポイントの高さが自然な姿勢で正しいかを確認するために、前記眼鏡フレーム装着者に仮印点された前記眼鏡フレームを装着させ、身体や顔（頭）を自由に動かせる状態で遠方にある白色板を見て貰う。このときに、前記眼鏡フレーム装着者が前記眼鏡フレームの前記両眼それぞれのダミーレンズの前面にある前記仮印点が遠方視線と重なって見えると応答すれば、前記両眼それぞれのダミーレンズの前面に仮印点された前記遠用アイポイントの高さは正しい。しかしながら、遠方視線と前記両眼それぞれのダミーレンズの前面にある前記仮印点された前記遠用アイポイントが重なって見えないと応答すれば、前記両眼それぞれのダミーレンズの前面に仮印点された前記遠用アイポイントの高さは正しくないので、そのズレを修正して前記印点が一致するまで修正し、確定する（和田式遠用アイポイントの高さ決定法）。
【００１７】
次に、前記シートマスクの上側の位置にある前記両眼一対の単一の水平基準線と、前記眼鏡フレームの前記両眼それぞれのダミーレンズの前面にある前記印点（前記遠用アイポイントの高さ）と、を一致するように貼り付ける。
【００１８】
次に、前記近用アイポイントの高さを決定する。前記近用アイポイントの高さを測定するための異なった色で構成された前記両眼一対の複数の水平基準線は、前記シートマスクの下側の位置に備えてある。前記眼鏡フレーム装着者に対して前記シートマスクが貼り付けられた前記眼鏡フレームを装着させて近方視(下方視)して貰い、前記遠用アイポイントの測定と同様に、近方視線（下方視線）が異なった色で構成された前記両眼一対の複数の水平基準線のうち、どの基準線と重なるのか、または、隣接する２本の基準線の中間にあるのか、または、２本の基準線の中間にない場合、どちらの基準線に近いのかを答えて貰い、これらの相対的な位置の関係から前記近用アイポイントの高さを確定する（和田式近用アイポイントの高さ決定法）。
【００１９】
次に、前記両眼それぞれの片眼瞳孔距離（右眼ＰＤ及び左眼ＰＤ）を決定する。前記シートマスクの中間の位置には遠方視及び近方視における前記両眼それぞれの片眼瞳孔距離（右眼ＰＤ及び左眼ＰＤ）を測定するための異なった色で構成された前記両眼一対の複数の垂直基準線が備えてある。遠方視及び近方視における前記両眼それぞれの片眼瞳孔距離（右眼ＰＤ及び左眼ＰＤ）を測定する際においては、まず、前記眼鏡フレーム装着者に前記両眼それぞれのダミーレンズの前面に前記シートマスクが貼り付けられた前記眼鏡フレームを装着した状態で遠方視又は近方視して貰い、最適な視線方向（輻輳方向）が異なった色で構成された前記両眼一対の複数の垂直基準線のうち、どの基準線と重なるのか、または、隣接する２本の基準線の中間にあるのか、または、隣接する２本の基準線の中間にない場合、どちらの基準線に近いのかを答えて貰い、これらの相対的な位置の関係から遠方視及び近方視における前記両眼それぞれの片眼瞳孔距離（右眼ＰＤ及び左眼ＰＤ）の相対値を測定する。そして、予め別の測定手段（例えば、ＰＤメーター）で測定した瞳孔間距離（以下、両眼ＰＤとする）の絶対値と、前記測定で求めた前記両眼それぞれの片眼瞳孔距離（右眼ＰＤ及び左眼ＰＤ）の相対値とから計算によって、遠方視及び近方視における前記両眼それぞれの片眼瞳孔距離（右眼ＰＤ及び左眼ＰＤ）の絶対値を算出する。
【００２０】
これによれば、前記遠用アイポイント及び前記近用アイポイントを正確に測定することが可能になるために、実際に装着する前記眼鏡フレームに対する累進屈折力レンズの最適な累進帯長の選択と最適な前記累進眼鏡の設計が可能となる。
また、前記累進眼鏡を使用するときの前記遠用アイポイントから前記近用アイポイントまでの垂直方向の距離（眼球の下方回旋量）は、単焦点眼鏡で生じる自然な下方回旋量（文献：両眼視機能と眼鏡、畑田豊彦、眼鏡の科学  日本眼光学学会編  Vol1,1977）に比べてはるかに大きいために下方視の訓練が必要となるが、前記近用アイポイントを測定するために前記シートマスクに設けられた前記両眼一対の複数の水平基準線を用いることによって、個々の前記眼鏡フレーム装着者に対して下方回旋量（又は下方回旋力）の大きさを実際に体現させながら指導することが可能となる。
【００２１】
［２］本考案［２］の累進眼鏡設計用シートマスク測定治具は、本考案［１］の累進眼鏡設計用シートマスク測定治具において、前記シートマスクは、前記眼鏡フレームの前記両眼それぞれの前記ダミーレンズの前面に貼り付けることが可能であって、前記眼鏡フレームの前記ダミーレンズに貼り付けたときに、透明性を維持できる測定部と、前記遠用アイポイントと前記近用アイポイントに関する測定値の取得後に前記眼鏡フレームの前記ダミーレンズの前面から容易に前記シートマスクを剥がすことができる把持部とを有することを特徴とする。
【００２２】
この考案では、前記シートマスクの前記測定部は前記眼鏡フレームの前記ダミーレンズの前面に貼り付けても不透明になることはない。また、測定した後に前記眼鏡フレームの前記両眼それぞれのダミーレンズの前面に貼り付けた前記シートマスクは把持部を把持して容易に剥がすことができる。
これによれば、前記眼鏡フレーム装着者は前記シートマスクが貼り付けられた前記眼鏡フレームを装着しても、前記シートマスクがない場合と同様に外界の対象物体を見ることができるので、前記眼鏡フレーム装着者が前記検査者の指示を確認しながら自覚的測定が可能となるために、前記眼鏡フレーム装着者の納得感がより大きくなる。ここで、自覚的とは、前記検査者が前記眼鏡フレーム装着者に検査内容を理解して貰い、前記眼鏡フレーム装着者の独自の判断を元に測定値を導出し決定することをいう。さらに、前記検査者は前記眼鏡フレームの前記両眼それぞれのダミーレンズの前面に貼り付けられた前記シートマスクを通して、前記瞳孔中心の位置を確認することができるために他覚的な測定も可能となる。また、前記フレームの前記ダミーレンズの前面に貼り付けた前記シートマスクは、把持部によって容易に微調整することができる。
【００２３】
以上より、前記眼鏡フレーム装着者と前記検査者との間で視線及び前記瞳孔中心の位置を同時に測定できるので測定精度が格段に向上する。また、これまで近方視線（下方視線）の通過位置を決定するために何回も貼り換えていた前記眼鏡フレームの前記両眼それぞれのダミーレンズの前面への前記加工シールの貼り付け操作が、前記シートマスクを使うことで一回の貼り付け操作で完了する。また、微調整のための前記シートマスク貼り替え操作を容易にすることができる。
【００２４】
［３］本考案［３］の累進眼鏡設計用シートマスク測定治具は、本考案［１］又は［２］の累進眼鏡設計用シートマスク測定治具において、前記シートマスクの前記測定部は、前記両眼一対の単一水平基準線と、前記両眼一対の複数の垂直基準線及び前記両眼一対の複数の水平基準線基準線とが、瞳孔直径の幅より狭く、かつ、不透明な線で構成されていることを特徴とする。
【００２５】
この考案では、前記シートマスクに備えたすべの基準線の線幅は、最小の瞳孔直径の幅より細い線幅で構成されている。従って、前記眼鏡フレーム装着者は前記シートマスクが貼り付けられた前記眼鏡フレームを装着して外界の対象物体を見ても、前記マスクシートの透明な部分から外界の対象物体を見ることができる。
【００２６】
これによれば、前記眼鏡フレーム装着者は前記ダミーレンズの前面に前記シートマスクが貼り付けられた前記眼鏡フレームを装着して外界の対象物を見たときに、前記眼鏡フレーム装着者の視線と前記シートマスクの基準線とが重なった場合、外界からの視覚情報は不透明な前記シートマスクの基準線の線幅だけ遮断されるが、該基準線の幅は瞳孔直径の幅より狭い（細い）ために前記シートマスクの基準線の外側からの視覚情報は遮断されない。例えば、前記シートマスクの基準線の色が赤線であれば、前記眼鏡フレーム装着者の視線が前記シートマスクの基準線と重なっているときは、赤色に染まってはいるが見ている対象物体がぼやけて見えることはない。従って、前記検査者は前記眼鏡フレーム装着者の視線と前記シートマスクの基準線が重なっているか、または、２本の異なった基準線の中央にあるか、または、２本の異なった基準線のどちらに近いかを詳細に答えて貰うことにより、前記両眼それぞれのダミーレンズの前面を通過する正確な視線位置を把握することができる。
【００２７】
［４］本考案［４］の累進眼鏡設計用シートマスク測定治具は、本考案［１］〜［３］のいずれかの累進眼鏡設計用シートマスク測定治具において、前記シートマスクは、前記眼鏡フレームの前記両眼それぞれの前記ダミーレンズの前面に貼り付けるときに、正しい姿勢で貼り付けるためのマークを有することを特徴とする。
【００２８】
この考案では、前記眼鏡フレームの前記両眼それぞれのダミーレンズの前面に貼り付けるときに、前記シートマスクの天地、左右及び表裏を識別するためのマークがあることから、前記眼鏡フレームの前記両眼それぞれのダミーレンズへの貼り付け姿勢を容易に理解することができる。
これによれば、実際の眼鏡販売店において、前記検査者が前記眼鏡フレームの前記ダミーレンズの前面への貼り付け操作を迅速に行うことできるために、検査時間の大幅な短縮化が可能となる。また、前記眼鏡フレームへの前記シートマスクの貼り付け操作の間違いがなくなるためにコストの浪費を減少することが可能となる。
【００２９】
［５］本考案［５］の累進眼鏡設計用シートマスク測定治具は、本考案［１］〜［４］のいずれかの累進眼鏡設計用シートマスク測定治具において、基盤シートの左右方向中心線に線対称の前記両眼一対のシートマスクは、前記眼鏡フレームの前記両眼それぞれの前記ダミーレンズの前面に（例えば１回の操作で同時に）貼り付け可能な間隔で、前記基盤シートに貼り付けられていることを特徴とする。
【００３０】
この考案では、前記シートマスクは前記眼鏡フレームの前記両眼それぞれのダミーレンズの前面に（例えば一回の貼り付け操作で両眼同時に）貼り付けられる間隔で、前記基盤シートの左右方向中心線に線対称の前記両眼一対のシートマスクとして前記基盤シートに貼り付けられている。
これによれば、前記眼鏡フレームの前記両眼それぞれのダミーレンズの前面への前記シートマスク貼り付け操作に際して、前記検査者は両眼それぞれの前記シートマスクを水平方向からの傾きや前記遠用アイポイントの高さのズレが生じさせることなく貼り付けることができることから、これまでのように前記加工用シールの貼り付けを両眼別々に行う操作方法に対して（例えば１回の貼り付け操作で両眼同時に）貼り付けることが可能となる。従って、経験の浅い技術者でも店頭において前記シートマスク貼り付け操作が正確に、かつ、迅速に行うことができ、検査時間の大幅な短縮化が可能となる。
【００３１】
［６］本考案［６］の累進眼鏡設計用シートマスク測定治具は、本考案［５］の累進眼鏡設計用シートマスク測定治具において、前記基盤シートは、前記眼鏡フレームの前記両眼それぞれの前記ダミーレンズの前面に前記両眼一対のシートマスクを（例えば１回の操作で同時に）貼り付けるための一対の位置決め貫通孔を備えていること特徴とする。
【００３２】
この考案では、前記基盤シートの左右方向中心線に線対称に配置して貼り付けられている前記両眼一対のシートマスクの外側には、後述する前記累進眼鏡設計用シートマスク貼り付け装置に前記基盤シートを係合するための前記位置決め貫通孔が備えてある。従って、前記基盤シートに貼り付けられている前記シートマスクは、後述する前記累進眼鏡設計用シートマスク貼り付け装置のシートマスク貼り付け部に確実に載置される。
これによれば、前記検査者は、前記シートマスクの貼り付け操作において、前記眼鏡フレームの前記両眼それぞれのダミーレンズの前面にある前記印点と、後述する前記累進眼鏡設計用シートマスク貼り付け装置の前記シートマスク貼り付け部に載置された前記基盤シートの左右方向中心線に線対称の前記両眼一対のシートマスクの上側の位置にある前記両眼一対の単一の水平基準線とを（例えば一回の貼り付け操作で両眼同時に）一致させて貼り付けるだけで良いので、前記眼鏡フレームへの前記シートマスクの貼り付け操作の精度が格段に向上する。
また、前記眼鏡フレームの前記両眼それぞれのダミーレンズの前面への前記シートマスク貼り付け操作が、従来の前記加工用シールを用いた方法に比べて（例えば一回の貼り付け操作に）簡素化されるので検査時間の大幅な短縮化が可能となる。
【００３３】
［７］本考案［７］の累進眼鏡設計用シートマスク測定治具は、本考案［５］又は［６］の累進眼鏡設計用シートマスク測定治具において、前記基盤シートは、前記基盤シートの左右方向中心線で左右二つに分離するためのミシン目を有することを特徴とする。
【００３４】
この考案では、前記基盤シートは、前記眼鏡フレームの前記両眼それぞれのダミーレンズの前面に貼り付けた状態で、前記基盤シートの左右方向中心線で二つに分離することにより前記基盤シートと前記シートマスクとの剥がし操作を両眼別々に実施することができる。
これによれば、前記検査者は前記シートマスクを前記基盤シート面から剥がす操作において、前記基盤シートが両眼それぞれに分離している方が、その剥がし操作が単純化されるために作業効率が格段に向上する。
【００３５】
［８］本考案［８］の累進眼鏡設計用シートマスク貼り付け装置は、本考案［１］〜［７］のいずれかの累進眼鏡設計用シートマスク測定治具を前記眼鏡フレームの前記両眼それぞれの前記ダミーレンズの前面に貼り付ける際に用いる累進眼鏡設計用シートマスク貼り付け装置であって、前記基盤シートを前記シートマスク貼り付け装置に係合するための基盤シート固定ピンと、前記眼鏡フレームの前記ダミーレンズの前面の曲面形状に沿って前記シートマスクを貼り付けるためのシートマスク貼り付け部と、前記眼鏡フレームの前記両眼それぞれの前記ダミーレンズの前面を前記シートマスク貼り付け装置の前記シートマスク貼り付け部に水平に載置するときに、前記眼鏡フレームのブリッジと、前記シートマスク貼り付け装置との接触を回避するためのブリッジ回避部とを備えることを特徴とする。
【００３６】
この考案では、前記眼鏡フレームの前記ダミーレンズの前面への前記基盤シート貼り付け作業において、前記検査者が予め別の測定手段（例えば、上記した和田式遠用アイポイントの高さ決定法）で印点されている前記遠用アイポイントの位置に前記シートマスクを正確に貼り付けるときに、前記シートマスクが貼り付けられている前記基盤シートを前記シートマスク貼り付け装置の前記一対の基盤シート固定ピンにしっかりと係合した状態で、前記眼鏡フレームの前記両眼それぞれのダミーレンズの前面を前記シートマスク貼り付け部に載置されている前記両眼一対のシートマスクに水平にしっかりと押し込んで貼り付けることができる。
【００３７】
これによれば、前記検査者は前記眼鏡フレームの前記両眼それぞれのダミーレンズの前面を前記シートマスク貼り付け装置の前記シートマスク貼り付け部に押し込むときに、常に前記眼鏡フレームの前記両眼それぞれのダミーレンズの前面の曲面形状に対して均等な圧力で貼り付けることができる。また、前記眼鏡フレームの前記両眼それぞれのダミーレンズの前面を前記シートマスク貼り付け装置の前記シートマスク貼り付け部に水平に押し込むときに、前記眼鏡フレームのあらゆる前記ブリッジの形状に対応できる。また、前記眼鏡フレームの前記両眼それぞれのダミーレンズの前面への前記シートマスク貼り付け操作が従来の前記加工用シールを用いた方法に比べて一回の貼り付け操作に簡素化されるので検査時間の大幅な短縮化が可能となる。
【図面の簡単な説明】
【００３８】
【図１】ダミーレンズ１２０の入った眼鏡フレーム１００を示す概略図。
【図２】累進屈折力レンズ２００の基本的な構造を示す概略平面図。
【図３】累進屈折力レンズ２００が眼鏡フレーム１００に枠入れ加工された状態を示す概略平面図。
【図４】眼鏡フレーム１００の眼鏡面を通過する遠方視線と近方視線と眼球の下方回旋量の関係を示す概略断面図。（Ａ）は正面視、（Ｂ）は近方視（下方視）。
【図５】実施形態にかかる累進眼鏡設計用シートマスク測定治具３００の構造を示す説明図。
【図６】図５のＸ−Ｘ断面図。
【図７】実施形態においてシートマスク測定治具３００を眼鏡フレーム１００のダミーレンズ１２０の前面に貼り付けた状態を示す説明図。
【図８】図７の眼鏡フレーム１００を装着した状態で、遠用アイポイント（ＦＥＰ）と一対の単一の水平基準線３０が一致しているかを確認する様子を示す説明図。
【図９】実施形態においてシートマスク３３０の付いた眼鏡フレーム１００掛けて見たときの基準線（物点Ａ）の網膜上での見え方（斑点像Ａ”）を示す説明図。
【図１０】実施形態において、瞳孔径ｇと網膜上に形成される斑点像Ａ“の関係を示す説明図。
【図１１】図９において、瞳孔径の幅を変化させたときの網膜上での基準線３０〜３８の見え方を示す説明図。
【図１２】実施形態において、瞳孔径ｇの幅が３．５ｍｍの時、シートマスク３３０の中に配置されているそれぞれの基準線３０〜３８の線幅と隣接する２本の線中心間距離が最適化される条件を示す説明図。
【図１３】実施形態にかかる累進眼鏡設計用シートマスク貼り付け装置４００の構成を示す概略図であり、（Ａ）は平面図、（Ｂ）は（Ａ）のＸＩ−ＸＩ断面図。
【図１４】実施形態においてシートマスク３３０の姿勢を判別するマーク（Ｐマーク）を示す説明図。
【図１５】実施形態においてシートマスク測定治具３００を眼鏡フレーム１００の両眼それぞれのダミーレンズ１２０の前面に、両眼１対のシートマスク３３０が貼り付けられている基盤シート３１０を貼り付ける工程を示す概略図であり、（Ａ）は平面図、（Ｂ）は（Ａ）のＸＩＩ−ＸＩＩ断面図。
【図１６】実施形態において基盤シート３１０の左右方向中心線３１２で基盤シート３１０を左右に切り離す工程を説明する説明図。
【図１７】実施形態において眼鏡フレーム装着者に実際に見えるシートマスク３３０の中に配置されているそれぞれの水平基準線３０、３５〜３８に対する遠方視線又は近方視線の関係を示す説明図。
【図１８】実施形態において眼鏡フレーム装着者に実際に見える垂直基準線３１〜３４に対する両眼それぞれの片眼瞳孔距離（右眼ＰＤ及び左眼ＰＤ）の関係を示す説明図。
【図１９】実施形態においてシートマスク３３０で測定値を用いて分析した結果を示す説明図。
【図２０】実施形態において眼鏡フレーム装着者に実際に見えるラインを示す説明図。
【図２１】実施形態におけるシートマスク３３０の変形例を示す概略平面図。
【図２２】従来のミラー法における眼球下方回旋量の測定を示す概略図。
【考案を実施するための形態】
【００３９】
以下、本考案の実施形態を図面に基づいて説明する。
本実施形態では、眼鏡販売店等で購入する眼鏡フレーム１００に予め具備されている両眼それぞれのダミーレンズ１２０を検査用レンズとして用い、その結果を元に累進屈折レンズ２００の最適な累進帯長の選択及び累進眼鏡の設計を行う。なお、ダミーレンズ１２０は屈折度数ゼロのアクリル樹脂でできている。
【００４０】
（１．眼鏡フレーム）
図１に示すように、眼鏡フレーム１００は、ダミーレンズ１２０を枠状に取り囲む両眼それぞれのフレーム枠１１と、両眼それぞれのフレーム枠１１を連結するブリッジ１３と、両眼それぞれのフレーム枠1１からヒンジ（図示せず）を介して回動可能に取り付けられたテンプル１２と、を備えている。
【００４１】
（２．眼鏡レンズ）
図２に示すように、累進屈折力レンズ２００は、上方に位置する遠用部領域２１と、下方に位置する近用部領域２２と、これら遠用部領域２１と近用部領域２２との間に位置する累進帯領域２３の明視領域と、その両側に隣接した明視領域以外の非点収差領域２４と、を有している。なお、これらの領域はすべてシームレスに形成されている。
【００４２】
遠用部領域２１は、遠方視（例えば、車の運転など）するのに適した相対的にプラス度数の低い平均度数を備えている。ここで遠用部領域の終息する位置を遠用フィッティングポイント（ＦＦＰ）とし、遠用フィッティングポイント（ＦＦＰ）を通過して左右方向に延びる線分であって、遠用部領域２１における線分を遠用フィッティングライン（ＦＦＬ）とする。
【００４３】
近用部領域２２は、近方視（例えば、読書）するのに適した相対的にプラス度数の高い平均度数を備えている。ここで近用部領域の始まる位置を近用フィッティングポイント（ＮＦＰ）とし、近用フィッティングポイント（ＮＦＰ）を通過して左右方向に延びる線分であって、近用部領域２２における線分を近用フィッティングライン（ＮＦＬ）とする。
【００４４】
累進帯領域２３は、中間視（例えば、ＰＣモニター閲覧などの室内作業全般）するのに適している。累進帯領域２３の長さ（ＣＬ）は、遠用部領域２１の遠用フィッティングポイント（ＦＦＰ）又は遠用フィッティングライン（ＦＦＬ）から近用部領域２２の近用フィッティングポイント（ＮＦＰ）又は近用フィッティングライン（ＮＦＬ）までの垂直方向の長さで、プラス加入度数は遠用フィッティングポイント（ＦＦＰ）から近用部領域２２の近用フィッティングポイント（ＮＦＰ）との間で累進的に変化する領域である。
【００４５】
非点収差領域２４は、前述の通り非明視領域と呼ばれるエリアで、非点収差領域２４を通して見ると物がぼやけたり二重に見えたりするため、通常、累進眼鏡装着者は非点収差領域２４を通して対象物体を見ない。
このような累進屈折力レンズ２００は、予め眼鏡フレーム１００に装着されている両眼それぞれのダミーレンズ１２０と同じ形状に玉型加工され、両眼それぞれのフレーム枠１１の形状に枠入れされることによって、実際に装着する累進眼鏡５００となる（図３参照）。
【００４６】
（３．累進眼鏡設計用シートマスク測定治具）
遠用アイポイントと近用アイポイントまでの眼球の下方回旋量（又は下方回旋力）の長さ（Ｌ）を測定する累進眼鏡設計用シートマスク測定治具３００について説明する。なお、以下の説明において、「累進眼鏡設計用シートマスク測定治具」のことを単に「シートマスク測定治具」ということもある。
図４（Ａ）に示すように、遠方視において遠方視線が眼鏡フレーム１００のダミーレンズ１２０の前面（凸面）を通過する位置を遠用アイポイント（ＦＥＰ）とする。次に、図４（Ｂ）に示すように、近方視において眼球が眼球回旋点（Ｒ）軸として下方回旋したときの近方視線が眼鏡フレーム１００のダミーレンズ１２０の前面を通過する位置を近用アイポイント（ＮＥＰ）とする。ここで眼鏡フレーム１００のダミーレンズ１２０の前面における遠用アイポイント（ＦＥＰ）から近用アイポイント（ＮＥＰ）までの垂直方向の距離を眼球の下方回旋量（又は下方回旋力）の長さ（Ｌ）とする。
【００４７】
眼球の下方回旋量（又は下方回旋力）の長さ（Ｌ）を測定するための治具として、図５及び図６に示すシートマスク測定治具３００を用いた。このシートマスク測定治具３００は基盤シート３１０と、カバーシート３２０と、シートマスク３３０と、で構成されている。眼鏡フレーム装着者の眼球の下方回旋量（又は下方回旋力）の長さ（Ｌ）を測定するための両眼一対のシートマスク３３０は、基盤シート３１０の左右方向中心線３１２に線対称で、眼鏡フレーム１００の両眼それぞれのダミーレンズ１２０の前面に一回の貼り付け操作で両眼同時に貼り付け可能な間隔で、予め基盤シート３１０に貼り付けられている。
【００４８】
また、両眼それぞれのシートマスク３３０は、眼鏡フレーム１００の両眼それぞれのダミーレンズ１２０の前面に貼り付けて測定するための透明な領域の測定部４０と、眼鏡フレーム１００の両眼それぞれのダミーレンズ１２０の前面に貼り付けられたシートマスク３３０を剥がすための不透明な領域の把持部４１と、を有している。シートマスク３３０の透明な領域の測定部４０の上側の位置には、予め別の測定手段（例えば、上記した和田式遠用アイポイントの高さ決定法）で測定した眼鏡フレーム１００の両眼それぞれのダミーレンズ１２０の前面に印点されている遠用アイポイント（FＥＰ）に重ねて貼り付けるための両眼一対の単一の水平基準線３０と、下側の位置に両眼それぞれの近用アイポイント（ＮＥＰ）と予測される領域に形成される等間隔で不透明な第１の水平基準線３５、第２の水平基準線３６、第３の水平基準線３７及び第４の水平基準線３８と、中間の位置に両眼それぞれの片眼瞳孔距離（右眼ＰＤ及び左眼ＰＤ）と予測される領域に形成される等間隔で不透明な第１の垂直基準線３１、第２の垂直基準線３２、第３の垂直基準線３３及び第４の垂直基準線３４と、を具備している。
【００４９】
また、基盤シート３１０の左右方向中心線３１２に線対称に配置して貼り付けられている両眼一対のシートマスク３３０の外側には、眼鏡フレーム１００の両眼それぞれのダミーレンズ１２０の前面にシートマスク３３０を貼り付けるときに、基盤シート３１０が動かないように累進眼鏡設計用シートマスク貼り付け装置４００に係合するための一対の位置決め貫通孔３４０が備えてある。
【００５０】
また、眼鏡フレーム１００の両眼それぞれのダミーレンズ１２０の前面にシートマスク３３０を貼り付けた後に、シートマスク３３０から基盤シート３１０を剥がす時の操作を容易にするために、基盤シート３１０の左右方向中心線３１２は容易に切り離せるようにミシン目の構造になっている（図示せず）。
【００５１】
図７には、本実施形態にかかる眼球の下方回旋量（又は下方回旋力）の長さ（Ｌ）を測定する治具として、眼鏡フレーム１００の両眼それぞれのダミーレンズ１２０の前面にシートマスク３３０を貼り付けた状態が示されている。図８には、眼鏡フレーム装着者が眼鏡フレーム１００を装着したときに、両眼それぞれの遠用アイポイントと、眼鏡フレーム１００の両眼それぞれのダミーレンズ１２０の前面に貼り付けられたシートマスク３３０の上側の位置にある両眼一対の単一の水平基準線３０と、が重なっている状態が示されている。
【００５２】
ここで、眼鏡フレーム１００の両眼それぞれのダミーレンズ１２０の前面の印点に重ねて貼り付けるシートマスク３３０にある不透明な両眼一対の単一の水平基準線３０の高さは、眼鏡フレーム装着者が実際に眼鏡フレーム１００を装着した状態で遠方視したときの視線通過位置であり、その位置は予め別の測定手段（例えば、上記した和田式遠用アイポイントの高さ決定法）で確定されている。
【００５３】
シートマスク３３０にあるすべての基準線３０〜３８は、は少なくとも二つ条件を備えている。第一の条件は、網膜上に投射されたときに隣り合う２本の基準線に重なりがないか、または、重なりが最小限であることが望ましい。第二の条件は、シートマスク３３０に具備されているすべての基準線３０〜３８の線幅は、瞳孔径の幅より狭い（細い）直線で形成されていることが望ましい。
【００５４】
図９において、眼鏡フレーム装着者が眼鏡フレーム１００の両眼それぞれのダミーレンズ１２０の前面にある物点Ａを見ると、物点Ａは共役点である網膜後方の像点Ａ’に結像しているために、実際に見ているものは網膜上に投射されているぼやけた斑点像Ａ”である、この斑点像Ａ”の大きさｊは以下の（１）式で計算することができる。
ｊ＝ｇ×（（ｌ’−ｋ’）÷ｌ）              （１）
ここで、ｊは網膜に形成される斑点像Ａ”の大きさであり、ｇは瞳孔径の幅であり、ｌ’（エルダッシュ）は眼の主点Ｐから像点Ａ’までの距離であり、ｋ’は眼の主点Ｐから網膜までの距離であり、ｌ（エル）は物点Ａから眼の主点Ｐまでの距離である。
【００５５】
ここで、一般的な瞳孔径の幅は２．９ｍｍから６．５ｍｍまで変化する（視覚情報処理、-生理学・心理学・生体工学-、田崎京二他、朝倉書店、１９７９）ことから、この（１）式を用いて、基準線の線幅と隣接する２本の線中心間距離を計算すると図１０のようになる。例えば、基準線の線幅が１ｍｍで、隣り合う基準線の中心間距離が３ｍｍで、分離間距離は２ｍｍ（中心間距離−線幅）のときを例示する。このとき、瞳孔径の幅がそれぞれ２．５ｍｍ、４ｍｍ及び５．５ｍｍの場合を見ると、基準線の線幅はそれぞれ１．８ｍｍ、２．８ｍｍ及び３．９ｍｍ（図１０参照）となる。また、分離間距離はそれぞれ1．２ｍｍ、０．２ｍｍ及び−０．９ｍｍとなり、瞳孔径の幅が５．５ｍｍのときは隣り合う基準線の一部が重なり合ってしまう（図１１の（Ｄ）参照）。これより標準的な瞳孔径の幅を３．５ｍｍとし、上記二つの条件を満たすために必要な基準線の幅を０．５ｍｍから２．０ｍｍまで０．１ｍｍ間隔で計算すると図１２になる。例えば、線幅が０．５ｍｍのときの隣り合う線の中心間距離は１．２５ｍｍ、線幅が１ｍｍのときの隣り合う線の中心間距離は２．５ｍｍ、線幅が1．５ｍｍのときの隣り合う線の中心間距離は３．７５ｍｍそれぞれ必要となる。
【００５６】
また、眼球の下方回旋量（又は下方回旋力）の長さ（Ｌ）を測定するために具備されている両眼一対のシートマスクの下側に形成されている第１の水平基準線３５、第２の水平基準線３６、第３の水平基準線３７及び第４の水平基準線３８の位置は、予め予測される眼球の下方回旋量（又は下方回旋力）の位置に等間隔で配置されている。例えば、第１の水平基準線３５は、両眼一対の単一の水平基準線３０から両眼それぞれ１２ｍｍ離れた位置に平行な直線として形成されている。第２の水平基準線３６は、第１の水平基準線３５から両眼それぞれ２ｍｍ離れた位置に平行な直線として形成されている。第３の水平基準線３７は、第１の水平基準線３５から両眼それぞれ４ｍｍ離れた位置に平行な直線として形成されている。そして、第４の水平基準線３８は、第１の水平基準線３５から両眼それぞれ６ｍｍ離れた位置に平行な直線として形成されている。なお、このときのすべての基準線の線幅は０．８ｍｍで、上記（１）式に基づいて決定される。
【００５７】
また、第１の水平基準線３５、第２の水平基準線３６、第３の水平基準線３７及び第４の水平基準線３８は、眼鏡フレーム装着者が装着しているときに容易に前記基準線の位置を判断して検査者に答えられるように、暖色系と寒色系の異なる不透明な色が交互に配置されている。例えば、第１の水平基準線３５は黄色、第２の水平基準線３６は緑色、第３の水平基準線３７は赤色及び第４の水平基準線３８は青色である。
【００５８】
また、遠方視及び近方視の両眼それぞれの片眼瞳孔距離（右眼ＰＤ及び左眼ＰＤ）を測定するために具備されている両眼一対のシートマスクの中間の位置にある第１の垂直基準線３１、第２の垂直基準線３２、第３の垂直基準線３３及び第４の垂直基準線３４は、遠方視又は近方視で予め予測される位置に等間隔で配置されている。例えば、第１の垂直基準線３１は、基盤シート３１０の左右方向中心線３１２から両眼それぞれ２８ｍｍ離れた位置に平行な直線として形成されている。第２の垂直基準線３２は、基盤シート３１０の左右方向中心線３１２から両眼それぞれ３０ｍｍ離れた位置に平行な直線として形成されている。第３の垂直基準線３３は、基盤シート３１０の左右方向中心線３１２から両眼それぞれ３２ｍｍ離れた位置に平行な直線として形成されている。そして、第４の垂直基準線３４は、基盤シート３１０の左右方向中心線３１２から両眼それぞれ３４ｍｍ離れた位置に平行な直線として形成されている。なお、このときのすべての基準線の線幅は０．８ｍｍで、上記（１）式に基づいて決定される。
【００５９】
また、第１の垂直基準線３１、第２の垂直基準線３２、第３の垂直基準線３３及び第４の垂直基準線３４の配置は、眼球の下方回旋量（又は下方回旋力）の長さ（Ｌ）を予測する水平基準３５〜３８の配置と同様の考え方で配置される。例えば、第１の垂直基準線３１は青色、第２の垂直基準線３２は赤色、第３の垂直基準線３３は緑色及び第４の垂直基準線３４は黄色である。
【００６０】
次に、シートマスク貼り付け装置４００に載置される累進眼鏡設計用シートマスク測定治具３００の構成について説明する。
図５及び図６に示すように、シートマスク測定治具３００は、基盤シート３1０と、カバーシート３２０と、シートマスク３３０とが積層されている。基盤シート３１０には、遠用アイポイント及び近用アイポイントの決定に必要な眼鏡フレーム装着者の眼球の下方回旋量（又は下方回旋力）の長さ（Ｌ）と、近方視での両眼それぞれの片眼瞳孔距離（右眼ＰＤ及び左眼ＰＤ）とを測定するために、予め基盤シート３１０の左右方向中心線３１２に線対称に、眼鏡フレーム１００の両眼それぞれのダミーレンズ１２０の前面に同時に貼り付けることが可能な間隔で、両眼一対のシートマスク３３０が貼り付けられている。
【００６１】
カバーシート３２０はシートマスク３３０と眼鏡フレーム１００の両眼それぞれのダミーレンズ１２０の前面に貼り付けるための第２の接着層３３１の粘着力を保護する。シートマスク３３０は基盤シート３1０とカバーシート３２０とが接着する測定部４０と、接着しない把持部４１とで構成されている。シートマスク３３０の測定部４０は、眼鏡フレーム１００の両眼それぞれのダミーレンズ１２０の前面に貼り付けて、眼球の下方回旋量（又は下方回旋力）の長さ（Ｌ）や両眼それぞれの片眼瞳孔距離（右眼ＰＤ及び左眼ＰＤ）を測定するときに使用する部分である。これに対して、把持部４１は、測定部４０による眼球の下方回旋量（又は下方回旋力）の長さ（Ｌ）や両眼それぞれの片眼瞳孔距離（右眼ＰＤ及び左眼ＰＤ）を測定した後に、シートマスク３３０を眼鏡フレーム１００の両眼それぞれのダミーレンズ１２０の前面から破損することなく容易に剥がすために使用する部分である
【００６２】
ここで、基盤シート３1０と、シートマスク３３０との間は第１の接着層３１１が形成されている。このとき、第１の接着層３１１の相対的な接着度は基盤シート３1０の側に強く作用している。また、シートマスク３３０と、カバーシート３２０との間は第２の接着層３３１が形成されている。このとき、第２の接着層３３１の相対的な接着度はシートマスク３３０の側に強く作用している。
【００６３】
累進眼鏡設計用シートマスク測定治具３００に関する第１の接着層３１１又は第２の接着層３３１の構成は以下の通りである。なお、第１の接着層３１１又は第２の接着層３３１の接着強度のバランスは、シートマスク３３０に剥離剤を塗布することによって調整することができる。
基盤シート３１０としては、例えば、ポリエチレンテレフタレート、ポリオレフィン、ポリスチレン及びポリ塩化ビニル等からなる群より選択される少なくとも一種の材料を含むシートであることが好ましい。基盤シート３１０の厚さは７０μｍから８０μｍの範囲であることが好ましい。
カバーシート３２０としては、例えば、ポリプロピレン、ポリエチレンテレフタレート、ポリオレフィン、ポリスチレン及びポリ塩化ビニル等からなる群より選択される少なくとも一種の材料を含むシートで、上記した剥離剤が塗布されている事が望ましい。カバーシート３２０の厚さは５５μｍから６５μｍの範囲であることが好ましい。
シートマスク３３０としては、例えば、ポリエチレンテレフタレート、ポリオレフィン、ポリスチレン及びポリ塩化ビニル等からなる群より選択される少なくとも一種の材料を含むシートで、上記した剥離剤が塗布されていることが望ましい。シートマスク３３０の厚さは４５μｍから５５μｍの範囲であることが好ましい。
【００６４】
第１の接着層３１１に使用される接着剤としては、ウレタン樹脂系、アクリル樹脂系、ゴム系、シリコン樹脂系、ビニルエーテル系及びエポキシ系樹脂系からなる群より選択される少なくとも一種の材料を含む層であることが好ましい。なお、第１の接着層３１１の厚さは２５μｍから３５μｍの範囲であることが好ましい。
第２の接着層３３１に使用される接着剤としては、アクリル樹脂系、ウレタン樹脂系、アクリル樹脂系、ゴム系、シリコン樹脂系、ビニルエーテル系及びエポキシ系樹脂系からなる群より選択される少なくとも一種の材料を含む層であることが好ましい。なお、第２の接着層３３１の厚さは１５μｍから２５μｍの範囲であることが好ましい。
【００６５】
また、シートマスク測定治具３００には、図６に示すように、両端縁付近に基盤シート３１０及びカバーシート３２０を貫通する位置決め貫通孔３４０が形成されている。この位置決め貫通孔３４０は、シートマスク測定治具３００をシートマスク貼り付け装置４００のシートマスク貼り付け部４２０に載置する際、シートマスク３３０が貼り付けられた基盤シート３１０と、シートマスク貼り付け装置４００の一対の基盤シート固定ピン４４０とを係合するために設けられたものである。
【００６６】
（４.累進眼鏡設計用シートマスク貼り付け装置）
次に、シートマスク３３０を眼鏡フレーム１００の両眼それぞれのダミーレンズ１２０の前面に貼り付けるシートマスク貼り付け装置４００の構成について説明する。
シートマスク貼り付け装置４００は、図１３（図１３（Ａ）及び図１３（Ｂ））に示すように、眼鏡フレーム１００を保持する眼鏡保持台４１０と、眼鏡保持台４１０の上面に設けられた両眼一対のシートマスク貼り付け部４２０と、眼鏡フレーム１００の両眼それぞれのダミーレンズ１２０の前面を水平に載置するときに重要となるブリッジ回避部４３０（図１３Ｂでは空間として示してある）と、シートマスク測定治具３００の位置決め貫通孔３４０と係合する一対の基盤シート固定ピン４４０とを備えている。シートマスク測定治具３００の位置決め貫通孔３４０と係合する一対の基盤シート固定ピン４４０の形状は、直径が５ｍｍから７ｍｍの円柱形で、シートマスク治具載置面４１１を基準面として５ｍｍから１０ｍｍの範囲で高くなっていることが好ましい。
【００６７】
眼鏡保持台４１０は、眼鏡フレーム１００をシートマスク貼り付け部４２０に載置したときに眼鏡フレ-ム１００の両眼それぞれのダミーレンズ１２０の前面と対向するシートマスク治具載置面４１１を上面として有する直方体状に形成され、シートマスク治具載置面４１１には、眼鏡フレーム１００の両眼それぞれのダミーレンズ１２０と対向する位置に一対のシートマスク貼り付け部４２０を収納可能な一対のシートマスク貼り付け部形成面４１２と、ブリッジ回避部４３０を形成するための一対のシートマスク貼り付け部形成面４１２に挟まれた領域にその高さより低い位置に上面を有する矩形状のブリッジ回避面４１３とを有している。なお、矩形状のブリッジ回避面４１３の深さは、シートマスク治具載置面４１１を基準面として５ｍｍから９ｍｍの範囲で低い位置にあることが好ましい。また、矩形状のブリッジ回避面の幅は２８ｍｍから３２ｍｍの範囲であることが好ましい。
【００６８】
シートマスク貼り付け部４２０は、一対のシートマスク貼り付け部形成面４１２にそれぞれ収納可能な矩形状の低反発弾性素材である。低反発弾性素材としては、眼鏡フレームの両眼それぞれのダミーレンズ１２０の表面を傷つけず適度な弾性があるものが好ましく、例えばウレタンが用いられる。一対のシートマスク貼り付け部形成面４１２にそれぞれ収納可能な矩形状の低反発弾性素材の厚さは４ｍｍから６ｍｍの範囲であることが好ましい。
また、ブリッジ回避部４３０を形成するための一対のシートマスク貼り付け部形成面４１２に挟まれた矩形状のブリッジ回避面４１３には、眼鏡フレーム１００のブリッジ１３の中心を左右方向に線対称に位置合せするための眼鏡フレーム中心合せスケール部４５０が形成されている。
【００６９】
一対の基盤シート固定ピン４４０は、一対のシートマスク貼り付け部４２０の外側に凸状に形成されており、基盤シート３1０にある一対の位置決め貫通孔３４０と係合してシートマスク３３０を間接的に固定する。
【００７０】
（５．眼球の下方回旋量（又は下方回旋力）測定方法）
次に、シートマスク貼り付け装置４００を用いてシートマスク測定治具３００を眼鏡フレーム１００の両眼それぞれのダミーレンズ１２０の前面に貼り付けるシートマスク貼り付け工程と、眼鏡フレーム１００の両眼それぞれのダミーレンズ１２０の前面に貼り付けられたシートマスク３３０を用いて、眼球の下方回旋量（又は下方回旋力）の長さ（Ｌ）と、遠方視及び近方視の両眼それぞれの片眼瞳孔距離（右眼ＰＤ及び左眼ＰＤ）とを測定する測定工程について説明する。
【００７１】
（５−１．シートマスク貼り付け工程）
シートマスク３３０には、図１４に示すように、シートマスク貼り付け装置４００のシートマスク治具載置面４１１上にシートマスク３３０を正しい姿勢で貼り付け決めるための非対称な記号などのマーク３９が具備されている（図１４のＰマーク参照）。検査者は、シートマスク貼り付け装置４００にシートマスク３３０を載置するときに、マーク３９の位置を確認し、シートマスク測定治具３００にある一対の位置決め貫通孔３４０と、シートマスク貼り付け装置４００の一対の基盤シート固定ピン４４０とを係合する。
【００７２】
次に、シートマスク測定治具３００のカバーシート３２０を剥がし、シートマスク３３０の第２の接着層３３１を露出させる。そして、両眼それぞれのダミーレンズ１２０の前面に予め別の測定手段（例えば、上記した和田式遠用アイポイントの高さ決定法）で決定された両眼それぞれのダミーレンズ１２０の前面に印点された遠用アイポイントと、シートマスク３３０の上側の位置にある両眼一対の単一の水平基準線３０とが一致する（図１５（Ａ））ことを確認し、その状態を維持して図１５（Ｂ）の矢印（↓）の方向に眼鏡フレーム１００の両眼それぞれのダミーレンズ１２０の前面を、一対のシートマスク貼り付け部４２０の低反発性素材に押し付ける。これにより、シートマスク３３０は第２の接着層３３１を介して、両眼それぞれのダミーレンズ１２０の前面の曲面に沿って接着される（図示せず）。
【００７３】
次に、図１６に示すように、眼鏡フレーム１００の両眼それぞれのダミーレンズ１２０の前面に貼り付けられたシートマスク３３０と、基盤シート３１０とを分離する。このとき、シートマスク３３０と基盤シート３1０との間にある第１の接着層３１１は基盤シート３１０に残り、シートマスク３３０の表面には残存しない。これにより、図７に示すような両眼それぞれのダミーレンズ１２０の前面にシートマスク３３０が貼り付けられた眼鏡フレーム１００となり、眼球の下方回旋量（又は下方回旋力）の長さ（Ｌ）の測定が可能な状態となる。
【００７４】
（５−２．測定工程）
次に、眼鏡フレーム１００のダミーレンズ１２０の前面に貼り付けられたシートマスク３３０により眼球の下方回旋量（又は下方回旋力）の長さ（Ｌ）を測定する測定工程について説明する。
眼鏡フレーム装着者は、両眼それぞれのダミーレンズ１２０の前面にシートマスク３３０が貼り付けられた眼鏡フレーム１００を装着し、遠方視したときの視線位置を確認する（図８参照）。具体的には、両眼それぞれのダミーレンズ１２０の前面にシートマスク３３０が貼り付けられた眼鏡フレーム１００を装着した状態で正面視して貰い、その両眼それぞれの視線がシートマスク３３０の上側の位置にある両眼一対の単一の水平基準線３０と重なって見えていることを自覚的測定方法で確認する。
【００７５】
次に、この状態で近方視の作業距離の位置に配置してあるミラーターゲットを見て貰う。そして、このときの両眼それぞれの視線が、シートマスク３３０の下側の位置にある両眼一対の複数の水平基準線３５〜３８のどの位置を通過するかを答えて貰う。本実施形態では、両眼それぞれの近用アイポイントと予測される領域に形成されている等間隔で不透明な黄色の第１の水平基準線３５、緑色の第２の水平基準線３６、赤色の第３の水平基準線３７及び青色の第４の水平基準線３８が形成されているので、これらの水平基準線３５〜３８のうち、どの色の水平基準線（または、隣接した２本の水平基準線の間）を通過するかを眼鏡フレーム装着者に答えて貰う。そして、このときのシートマスク３３０の上側の位置にある両眼一対の単一の水平基準線３０と選択された下側の位置にある水平基準線または隣接した２本の水平基準線の間の位置までの距離が、眼球の下方回旋量（又は下方回旋力）の長さ（Ｌ）になる（図１７参照）。例えば、眼鏡フレーム装着者が下方視したときの視線方向と重なって見える線が赤色の第３の水平基準線３７であれば、眼球の下方回旋量（又は下方回旋力）の長さ（Ｌ）は１６ｍｍとなる。
【００７６】
次に、眼鏡フレーム１００の両眼それぞれのダミーレンズ１２０の前面に貼り付けられたシートマスク３３０により遠方視及び近方視における両眼それぞれの片眼瞳孔距離（右眼ＰＤ及び左眼ＰＤ）を測定する測定工程について説明する。
初めに、遠方視における両眼それぞれの片眼瞳孔距離（右眼ＰＤ及び左眼ＰＤ）の解析方法について説明する。眼鏡フレーム装着者に両眼それぞれのダミーレンズ１２０の前面にシートマスク３３０が貼り付けられた眼鏡フレーム１００を装着して貰い、遠方視線の位置を確認する（図８参照）。具体的には、両眼それぞれのダミーレンズ１２０の前面にシートマスク３３０が貼り付けられた眼鏡フレーム１００を装着した状態で正面視して貰い、両眼それぞれの視線がシートマスク３３０の上側の位置にある両眼一対の単一の水平基準線３０を通過していることを確認する。
【００７７】
次に、眼鏡フレーム装着者が遠方視したときに、両眼それぞれの視線がシートマスク３３０の中間にある両眼一対の複数の垂直基準線３１〜３４が見えるように顔位（又は頭位）を調整し、その状態から垂直基準線３１〜３４のどの位置を通過するかを確認する。本実施形態では、両眼それぞれの片眼瞳孔距離（右眼ＰＤ及び左眼ＰＤ）と予測される領域に形成される等間隔で不透明な青色の第１の垂直基準線３１、赤色の第２の垂直基準線３２、緑色の第３の垂直基準線３３及び黄色の第４の垂直基準線３４とが形成されているので、眼鏡フレーム装着者はこれらの垂直基準線３１〜３４のうち、両眼それぞれの視線がどの垂直基準線（または、隣接した２本の垂直基準線の間）が重なって見えるかを眼鏡フレーム装着者に答えて貰う。なお、遠用アイポイントの位置はここで求めた両眼それぞれの片眼瞳孔距離（右眼ＰＤ及び左眼ＰＤ）を用いて後述する計算式によって求める。
【００７８】
次に、近方視における両眼それぞれの片眼瞳孔距離（右眼ＰＤ及び左眼ＰＤ）の測定方法について説明する。近方視の場合も、遠方視のときと同様に、眼鏡フレーム装着者にダミーレンズ１２０の前面にシートマスク３３０が貼り付けられた眼鏡フレーム１００を装着して正面視して貰い、両眼それぞれの視線がシートマスク３３０の上側の位置にある両眼一対の単一の水平基準線３０をと重なって見えていることを確認する。
【００７９】
次に、眼鏡フレーム装着者が近方視したときに両眼それぞれの視線がシートマスク３３０の中間の位置にある両眼一対の複数の垂直基準線が見えるように顔位（又は頭位）を調整し、その状態から垂直基準線３１〜３４のいずれかのうち、どの基準線の位置と重なって見えるかを眼鏡フレーム装着者に答えて貰う。本実施形態では、遠方視のときと同様に、両眼それぞれの片眼瞳孔距離（右眼ＰＤ及び左眼ＰＤ）と予測される領域に形成される等間隔で不透明な青色の第１の垂直基準線３１、赤色の第２の垂直基準線３２、緑色の第３の垂直基準線３３及び黄色の第４の垂直基準線３４が形成されているので、眼鏡フレーム装着者はこれらの垂直基準線３１〜３４のいずれかのうち、両眼それぞれの視線がどの垂直基準線（または、隣接した２本の前記垂直基準線の間）と重なって見えるかを眼鏡フレーム装着者に答えて貰う。なお、近用アイポイントの位置も遠用アイポイントの位置と同様に、ここで求めた両眼それぞれの片眼瞳孔距離（右眼ＰＤ及び左眼ＰＤ）の相対値を用いて後述する計算式によって求める。
【００８０】
次に、実際の眼鏡設計で用いる遠方視及び近方視における両眼それぞれの片眼瞳孔距離（右眼ＰＤ及び左眼ＰＤ）を求める方法について説明する。
眼鏡設計で用いる両眼それぞれの片眼瞳孔距離（右眼ＰＤ及び左眼ＰＤ）は、遠方視及び近方視の上記測定で求めた両眼それぞれの片眼瞳孔距離の相対値（ＲＰＤ及びＬＰＤ）と、予め別の測定手段（例えば、ＰＤメーター）で求めた遠方視及び近方視の瞳孔間距離（両眼ＰＤ）の絶対値とを用いて以下の（２）式及び（３）式から算出する (図１８参照)。
右眼ＰＤ＝両眼ＰＤ×（ＲＰＤ÷（ＲＰＤ＋ＬＰＤ））  （２）
左眼ＰＤ＝両眼ＰＤ−右眼ＰＤ                        （３）
【００８１】
例えば、遠方視の場合、ＰＤメータで測定した遠方視の両眼ＰＤが６０ｍｍで、シートマスク３３０で測定したＲＰＤが３０ｍｍ、ＬＰＤが２８ｍｍであれば、（２）式より遠方視での右眼ＰＤは３１ｍｍ、（３）式より左眼ＰＤは２９ｍｍとなる。
これに対して、近方視の場合、ＰＤメータで測定した近方視の両眼ＰＤが５６ｍｍで、シートマスク３３０で測定したＲＰＤが２８ｍｍ、ＬＰＤが２９ｍｍであれば、（２）式より遠方視での右眼ＰＤは２７．５ｍｍ、（３）式より左眼ＰＤは２８．５ｍｍとなる（図１９参照）。
【００８２】
ここで、このような両眼それぞれのダミーレンズ１２０の前面にシートマスク３３０を貼り付けた眼鏡フレーム１００を装着したときに、眼鏡フレーム装着者に実際に見える基準線について説明する。
眼鏡フレーム装着者が両眼それぞれのダミーレンズ１２０の前面にシートマスク３３０が貼り付けられた眼鏡フレーム１００を装着して近方視すると、第１の水平基準線３５、第２の水平基準線３６、第３の水平基準線３７及び第４の水平基準線３８はそれぞれ実際の基準線の線幅よりも広くぼやけた状態に見える(反射色)。例えば、瞳孔径の幅が３．５ｍｍのとき、図２０に示すように、シートマスク３３０にある第１の水平基準線３５、第２の水平基準線３６、第３の水平基準線３７及び第４の水平基準線３８の線幅が０．８ｍｍで、それぞれの基準線の中心間距離が２ｍｍのとき、網膜上に投射される第１の水平基準線３５、第２の水平基準線３６、第３の水平基準線３７及び第４の水平基準線３８の反射色の線幅は、２ｍｍ幅のぼやけた線（第１の水平基準線３５の網膜像３５１、第２の水平基準線３６の網膜像３６１、第３の水平基準線３７の網膜像３７１及び第４の水平基準線３８の網膜像３８１）として見える（図２０（Ａ））。また、第１の水平基準線３５、第２の水平基準線３６、第３の水平基準線３７及び第４の水平基準線３８の線幅が１ｍｍで、それぞれの基準線の中心間距離が２.５ｍｍのとき、網膜上に投射される第１の水平基準線３５、第２の水平基準線３６、第３の水平基準線３７及び第４の水平基準線３８の反射色の線幅は、２.５ｍｍ幅のぼやけた線（第１の水平基準線３５の網膜像３５１、第２の水平基準線３６の網膜像３６１、第３の水平基準線３７の網膜像３７１及び第４の水平基準線３８の網膜像３８１）として見える（図２０（Ｂ））。
【００８３】
一方、近方視しているときの外界の物体は、シートマスク３３０にある第１の水平基準線３５、第２の水平基準線３６、第３の水平基準線３７及び第４の水平基準線３８の隙間を通して見ることができる（透過光）。例えば、第１の水平基準線３５、第２の水平基準線３６、第３の水平基準線３７及び第４の水平基準線３８の線幅が０．８ｍｍで、それぞれの基準線の中心間距離が２ｍｍのとき、少なくとも隣接した２本の水平基準線は確実に見ることが可能である。
【００８４】
（６．実施形態の作用効果）
以上のような実施形態によれば、以下の作用効果を奏することができる。
本実施形態では、眼鏡フレーム装着者が実際に購入するダミーレンズ１２０が入った眼鏡フレーム１００を装着して、シートマスク３３０の上側の位置にある不透明な両眼一対の単一の水平基準線３０と、近用アイポイントを示すシートマスク３３０の下側の位置にある等間隔で不透明な第１の水平基準線３５、第２の水平基準線３６、第３の水平基準線３７及び第４の水平基準線３８と、中間の位置にある等間隔で不透明な第１の垂直基準線３１、第２の垂直基準線３２、第３の垂直基準線３３及び第４の垂直基準線３４を用いて、眼球の下方回旋量（又は下方回旋力）の長さ（Ｌ）と、遠方視及び近方視における両眼それぞれの片眼瞳孔距離（右眼ＰＤ及び左眼ＰＤ）を測定する。
これによれば、検査者は累進眼鏡の設計に最も重要な遠用アイポイントと近用アイポイントの決定に際して、眼鏡フレーム装着者の眼鏡装用距離や前傾角などの測定値に依存されることなく測定できるために測定誤差を少なくすることができる。また、累進眼鏡の眼鏡設計に必要な眼鏡パラメータが２項目であることから実務経験の浅い検査者でも容易に高精度の測定値を取得することができる。
【００８５】
また、眼鏡フレーム装着者は、前記両眼それぞれのダミーレンズ１２０の前面にシートマスク３３０が貼り付けられた眼鏡フレーム１００を装着したときの視線が、水平基準線３５〜３８又は垂直基準線３１〜３４に最も近いかを判断するだけでよい。従って、眼鏡フレーム装着者に負担をかけることなく、より簡単に測定を行うことができる（自覚的測定法）。
【００８６】
また、上記したミラー法と併用することによって、検査者は眼鏡フレーム装着者の視線方向を基準線３０〜３８の隙間から瞳孔中心を確認することができる（他覚的測定法）。従って、眼球の下方回旋量（又は下方回旋力）の長さ（Ｌ）と、遠方視及び近方視の両眼それぞれの片眼瞳孔距離（右眼ＰＤ及び左眼ＰＤ）とにおいて、上記した自覚的測定法と上記した他覚的測定法を同時に実施できるので、測定精度が大幅に向上する。
【００８７】
さらに、本実施形態のシートマスク貼り付け装置４００は、シートマスク貼り付け部４２０が低反発性素材から構成されているので、シートマスク治具載置面４１１に固定されたシートマスク３３０に対して眼鏡フレーム１００のダミーレンズ１２０の前面を押し付けるだけで容易に均等な貼り付け操作ができる。従って、大幅な検査時間の短縮化が可能となる。実務経験の浅い検査者にとって特に有用性が高い。
【００８８】
また、本実施形態では、一対のシートマスク貼り付け部形成面４１２の間にシートマスク治具載置面４１１及びシートマスク貼り付け部４２０の上面よりも高さが低い矩形状のブリッジ回避面４１３が設けられている。
これによれば、眼鏡フレーム１００をシートマスク貼り付け部４２０の上に載置したとき、ブリッジ１３の突起形状が大きくても矩形状のブリッジ回避面４１３に接触しないため、眼鏡フレーム１００のダミーレンズ１２０の前面を安定的に水平に載置することができ、かつ、眼鏡フレームの形状に制約されない。
【００８９】
また、シートマスク３３０は、把持部４１を有しているので、把持部４１を把持することにより簡単にシートマスク３３０を破損することなく眼鏡フレーム１００のダミーレンズ１２０の前面から剥離することができる。従って、前記シートマスク３３０のダミーレンズ１２０の前面への貼り付けの微調整や眼鏡フレーム１００の防汚や破損することなく、購入前の眼鏡フレーム１００に復元することが可能となる。
【００９０】
〔変形例〕
なお、本考案は上記実施形態に限定されるものではなく、本考案の目的及び効果を達成できる範囲内での変形や改良が、本考案の内容に含まれるものであることはいうまでもない。例えば、上記実施形態では、シートマスク３３０は、遠方視及び近方視の両眼それぞれの片眼瞳孔距離（右眼ＰＤ及び左眼ＰＤ）を測定するのに適しているが、図２１に示すように、遠方視の両眼それぞれの片眼瞳孔距離（右眼ＰＤ及び左眼ＰＤ）を測定するためのものとして改良することもできる。
【００９１】
また、上記実施形態では、最も標準的な瞳孔径の幅が３．５ｍｍのときの基準線３０〜３８おける線幅と線の中心間距離について示したが、これに限定されず、上記した（１）式や図１０及び図１２の関係が成立するすべての形態が含まれる。例えば、瞳孔径の幅が３．５ｍｍのときは、シートマスク３３０に形成した第１の水平基準線３５、第２の水平基準線３６、第３の水平基準線３７及び第４の水平基準線３８は、線の中心間距離を２ｍｍとしたとき線幅は０．８ｍｍであるが、瞳孔径の幅が４ｍｍのときは、同様に線の中心間距離を２ｍｍとすると線幅は０．７１５ｍｍ、となる。
【００９２】
また、上記実施形態では、シートマスク３３０に形成した眼球の下方回旋量（下方回旋力）の長さ（Ｌ）を測定するための第１の水平基準線３５、第２の水平基準線３６、第３の水平基準線３７及び第４の水平基準線３８と、遠方視及び近方視の両眼それぞれの片眼瞳孔距離（右眼ＰＤ及び左眼ＰＤ）とを測定するための第１の垂直基準線３１、第２の垂直基準線３２、第３の垂直基準線３３及び第４の垂直基準線３４は、互いに異なる色で形成されているが、これらは同一の色で形成されていてもよい。これによれば、インクの種類を少なくすることができるので、コスト低減を図ることができる。
【産業上の利用可能性】
【００９３】
本考案の累進眼鏡設計用シートマスク測定治具及び累進眼鏡設計用シートマスク貼り付け装置は、累進屈折力レンズの眼鏡調製において、実際に購入する眼鏡フレームを装着して、遠用アイポイントと近用アイポイントを簡単、安価、かつ、高精度に測定できる累進眼鏡設計用シートマスク測定治具及び累進眼鏡設計用シートマスク貼り付け装置として、眼鏡販売店等で広く利用することができる。
【符号の説明】
【００９４】
１００…眼鏡フレーム、１２０…ダミーレンズ、１１…フレーム枠、１２…テンプル、１３…ブリッジ、２００…累進屈折力レンズ、２１…遠用部領域、２２…近用部領域、２３…累進帯領域、２４…非点収差領域、３００…シートマスク測定治具、３１０…基盤シート、３１１…第１の接着層、３１２…基盤シートの左右方向中心線、３２０…カバーシート、３３０…シートマスク、３３１…第２の接着層、３４０…位置決め貫通孔、３３１…第２の接着層、３５１…第１の水平基準線の網膜像、３６１…第２の水平基準線の網膜像、３７１…第３の水平基準線の網膜像、３８１…第４の水平基準線の網膜像、３０…単一の水平基準線、３１…第１の垂直基準線、３２…第２の垂直基準線、３３…第３の垂直準線、３４…第４の垂直準線、３４−１…第５の垂直準線、３５…第１の水平基準線、３６…第２の水平基準線、３７…第３の水平基準線、３８…第４の水平準線、３９…マーク、４００…累進眼鏡設計用シートマスク貼り付け装置、４１０…眼鏡保持台、４１１…シートマスク治具載置面、４１２…シートマスク貼り付け部形成面、４１３…ブリッジ回避面、４２０…シートマスク貼り付け部、４３０…ブリッジ回避部、４４０…基盤シート固定ピン、４５０…眼鏡フレーム中心合せスケール部、４０…測定部、４１…把持部、ＣＬ…累進屈折力レンズの累進帯の長さ、ＦＥＰ…遠用アイポイント、ＦＦＰ…遠用フィッティングイント、ＦＦＬ…遠用フィッティングライン、Ｌ…眼球の下方回旋量（又は下方回旋力）の長さ、ＮＥＰ…近用アイポイント、ＮＦＰ…近用フィッティングポイント、ＮＦＬ…近用フィッティングライン
【図１】
0003201342.tif 000003
【図２】
0003201342.tif 000004
【図３】
0003201342.tif 000005
【図４】
0003201342.tif 000006
【図６】
0003201342.tif 000007
【図９】
0003201342.tif 000008
【図１０】
0003201342.tif 000009
【図１１】
0003201342.tif 000010
【図１２】
0003201342.tif 000011
【図１３】
0003201342.tif 000012
【図１８】
0003201342.tif 000013
【図１９】
0003201342.tif 000014
【図５】
0003201342.tif 000015
【図７】
0003201342.tif 000016
【図８】
0003201342.tif 000017
【図１４】
0003201342.tif 000018
【図１５】
0003201342.tif 000019
【図１６】
0003201342.tif 000020
【図１７】
0003201342.tif 000021
【図２０】
0003201342.tif 000022
【図２１】
0003201342.tif 000023
【図２２】
0003201342.tif 000024